(57)【要約】【課題】廃棄時に融着部を引き裂く際に、融着部以外の部分が引き裂かれてしまうことを防止することができる吸収性物品を提供する。【解決手段】両側端部２１、２２は、一の側端部２１（２２）に沿った長手方向の所定位置に腹側部Ｆと背側部Ｂとが融着されておらず、空間部を形成することが可能な非融着部Ｋと、非融着部Ｋに対して腰周り開口部Ｗ側の腹側部Ｆと背側部Ｂとが融着された上側融着部２１ａ（２２ａ）と、非融着部Ｋに対して脚周り開口部Ｌ側の腹側部Ｆと背側部Ｂとが融着された下側融着部２１ｂ（２２ｂ）と、を有し、非融着部Ｋは、指を挿入することができる程度の大きさを有し、上側融着部２１ａ、２２ａ及び下側融着部２１ｂ、２２ｂは、引き裂き時に引き裂き方向を長手方向に沿うように誘導する誘導部を備える。【選択図】図１
2013135718.tif 000002
【特許請求の範囲】
【請求項１】
吸収体を含む吸収性本体と、
前記吸収性本体の外面側に設けられ、着用時に人体の腹側に位置する腹側部及び背側に位置する背側部を有する外装体と、
を備え、
前記外装体の前記腹側部と前記背側部とが、その両側端部において融着されることにより腰周り開口部及び左右一対の脚周り開口部が形成される吸収性物品であって、
前記両側端部は、
一の側端部に沿った長手方向の所定位置に前記腹側部と前記背側部とが融着されておらず、空間部を形成することが可能な非融着部と、
前記非融着部に対して前記腰周り開口部側の前記腹側部と前記背側部とが融着された上側融着部と、
前記非融着部に対して前記脚周り開口部側の前記腹側部と前記背側部とが融着された下側融着部と、
を有し、
前記非融着部は、指を挿入することができる程度の大きさを有し、
前記上側融着部及び前記下側融着部は、引き裂き時に引き裂き方向を長手方向に沿うように誘導する誘導部を備えることを特徴とする吸収性物品。
【請求項２】
前記非融着部は、前記側端部の中央部又は前記側端部の中で強度が変化する強度変化部に対応する位置に設けられていることを特徴とする請求項１に記載の吸収性物品。
【請求項３】
前記誘導部は、
前記上側融着部及び前記下側融着部の幅方向に延在し、長手方向に沿って所定の間隔で設けられた第１エンボス凹部を備え、
前記第１エンボス凹部は、前記外装体の端部から内側に向かって前記非融着部側に傾斜していることを特徴とする請求項１又は２に記載の吸収性物品。
【請求項４】
前記非融着部に対向し、当該非融着部よりも前記外装体の内側に、前記上側融着部及び前記下側融着部と接する部分を有し、前記腹側部と前記背側部とが接着された中間接着部が設けられていることを特徴とする請求項１〜３の何れか一項に記載の吸収性物品。
【請求項５】
前記中間接着部は、
前記腹側部と前記背側部とが融着され、
前記外装体の端部に向かって幅が狭くなるように形成された第２エンボス凹部が、長手方向に沿って所定の間隔で設けられていることを特徴とする請求項４に記載の吸収性物品。
【請求項６】
前記中間接着部は、
前記腹側部と前記背側部とが着脱可能に接着される接着部材を備えることを特徴とする請求項４に記載の吸収性物品。
【請求項７】
前記中間接着部に設けられた接着部材がフックテープであることを特徴とする請求項６に記載の吸収性物品。
【請求項８】
前記誘導部は、
前記上側融着部及び前記下側融着部の領域を覆い、且つ、前記上側融着部及び前記下側融着部の面積よりも大きく、引き裂き時に引き裂き方向を長手方向に沿うように誘導する誘導シートを備えることを特徴とする請求項１〜７の何れか一項に記載の吸収性物品。
【請求項９】
前記誘導シートは、
前記上側融着部における融着前の前記腹側部に設けられるともに、前記下側融着部における融着前の前記背側部に設けられていることを特徴とする請求項８に記載の吸収性物品。
【発明の詳細な説明】
【技術分野】
【０００１】
本発明は、吸収性物品に関する。
【背景技術】
【０００２】
従来、吸収性物品の一つとして使い捨ての紙おむつが知られている。使い捨ての紙おむつとしては、パンツ型及びテープ式紙おむつが知られている。
このうちパンツ型紙おむつは、一般に、吸収体を含む吸収性本体と、この吸収性本体の外面側に一体的に設けられた外装シートと、を備え、製品状態で外装シートにおける腹側部と背側部とが、その両側端の融着部において融着されることにより腰周り開口部及び左右一対の脚周り開口部が形成されている。
このようなパンツ型使い捨ておむつは、融着部が、着用時には不用意に引き裂かれることがなく、また、廃棄時には容易に引き裂き分離が行われることが望ましい。
このため、例えば、外装シートの両側端の融着部の一部に腹側把持部と背側把持部を重ね合わせた把持部を有し、把持部から指先を入れる空間を設けることで外装シートの両側端の融着部を引き裂きやすくする技術が提案されている（例えば、特許文献１、２）。
【先行技術文献】
【特許文献】
【０００３】
【特許文献１】特開２０１１−１２０８０９号公報
【特許文献２】実開平６−５０６２３号公報
【発明の概要】
【発明が解決しようとする課題】
【０００４】
しかしながら、特許文献１、２に記載の方法では、外装シートの両側端の融着部を引き裂くための力を低減させているに過ぎず、把持部から離れた腰周り開口部又は脚周り開口部付近の融着部まで適切に力が伝わらずに、融着部以外の部分が引き裂かれてしまう場合があった。
【０００５】
本発明の課題は、廃棄時に融着部を引き裂く際に、融着部以外の部分が引き裂かれてしまうことを防止することができる吸収性物品を提供することである。
【課題を解決するための手段】
【０００６】
前記課題を解決するために、請求項１に記載の発明は、
吸収体を含む吸収性本体と、
前記吸収性本体の外面側に設けられ、着用時に人体の腹側に位置する腹側部及び背側に位置する背側部を有する外装体と、
を備え、
前記外装体の前記腹側部と前記背側部とが、その両側端部において融着されることにより腰周り開口部及び左右一対の脚周り開口部が形成される吸収性物品であって、
前記両側端部は、
一の側端部に沿った長手方向の所定位置に前記腹側部と前記背側部とが融着されておらず、空間部を形成することが可能な非融着部と、
前記非融着部に対して前記腰周り開口部側の前記腹側部と前記背側部とが融着された上側融着部と、
前記非融着部に対して前記脚周り開口部側の前記腹側部と前記背側部とが融着された下側融着部と、
を有し、
前記非融着部は、指を挿入することができる程度の大きさを有し、
前記上側融着部及び前記下側融着部は、引き裂き時に引き裂き方向を長手方向に沿うように誘導する誘導部を備えることを特徴とする。
【０００７】
請求項２に記載の発明は、請求項１に記載の吸収性物品であって、
前記非融着部は、前記側端部の中央部又は前記側端部の中で強度が変化する強度変化部に対応する位置に設けられていることを特徴とする。
【０００８】
請求項３に記載の発明は、請求項１又は２に記載の吸収性物品であって、
前記誘導部は、
前記上側融着部及び前記下側融着部の幅方向に延在し、長手方向に沿って所定の間隔で設けられた第１エンボス凹部を備え、
前記第１エンボス凹部は、前記外装体の端部から内側に向かって前記非融着部側に傾斜していることを特徴とする。
【０００９】
請求項４に記載の発明は、請求項１〜３の何れか一項に記載の吸収性物品であって、
前記非融着部に対向し、当該非融着部よりも前記外装体の内側に、前記上側融着部及び前記下側融着部と接する部分を有し、前記腹側部と前記背側部とが接着された中間接着部が設けられていることを特徴とする。
【００１０】
請求項５に記載の発明は、請求項４に記載の吸収性物品であって、
前記中間接着部は、
前記腹側部と前記背側部とが融着され、
前記外装体の端部に向かって幅が狭くなるように形成された第２エンボス凹部が、長手方向に沿って所定の間隔で設けられていることを特徴とする。
【００１１】
請求項６に記載の発明は、請求項４に記載の吸収性物品であって、
前記中間接着部は、
前記腹側部と前記背側部とが着脱可能に接着される接着部材を備えることを特徴とする。
【００１２】
請求項７に記載の発明は、請求項６に記載の吸収性物品であって、
前記中間接着部に設けられた接着部材がフックテープであることを特徴とする。
【００１３】
請求項８に記載の発明は、請求項１〜７の何れか一項に記載の吸収性物品であって、
前記誘導部は、
前記上側融着部及び前記下側融着部の領域を覆い、且つ、前記上側融着部及び前記下側融着部の面積よりも大きく、引き裂き時に引き裂き方向を長手方向に沿うように誘導する誘導シートを備えることを特徴とする。
【００１４】
請求項９に記載の発明は、請求項８に記載の吸収性物品であって、
前記誘導シートは、
前記上側融着部における融着前の前記腹側部に設けられるともに、前記下側融着部における融着前の前記背側部に設けられていることを特徴とする。
【発明の効果】
【００１５】
本発明によれば、廃棄時に融着部を引き裂く際に、融着部以外の部分が引き裂かれてしまうことを防止することができる。
【図面の簡単な説明】
【００１６】
【図１】本発明の実施形態１の紙おむつの製品状態外観図である。
【図２】図１の紙おむつの分解斜視図である。
【図３】図１の紙おむつの外装体の展開図である。
【図４】図１の紙おむつの吸収性本体の平面図である。
【図５】図３のＶ−Ｖ線における断面図である。
【図６】図１の紙おむつの融着部を示す拡大模式図である。
【図７】変形例１における紙おむつの融着部を示す拡大模式図である。
【図８】本発明の実施形態２における紙おむつの外装体の展開図である。
【図９】図８の紙おむつの融着部を示す拡大模式図である。
【図１０】図８の紙おむつの融着部の斜視図である。
【発明を実施するための形態】
【００１７】
＜実施形態１＞
以下、本発明の実施形態を、図面を用いて詳細に説明する。ただし、発明の範囲は、図示例に限定されない。
また、本実施形態においては、吸収性物品としてパンツ型使い捨て紙おむつ（以下、「紙おむつ」という。）を例示して説明する。
【００１８】
図１から図５に示すように、紙おむつ１は、吸収体１３を含む吸収性本体１０と、この吸収性本体１０の外面側に設けられ、着用時に人体の腹側に位置する腹側部Ｆ及び背側に位置する背側部Ｂを有する外装体２０と、を備えている。
この紙おむつ１は、外装体２０の腹側部Ｆと背側部Ｂとが、その両側端部２１、２２において融着されることにより腰周り開口部Ｗ、左右一対の脚周り開口部Ｌが形成されるとともに、左右一対の脚周り開口部Ｌの間に股下部Ｍが形成されるようになっている。
【００１９】
紙おむつ１は、図２に示すように、外装体２０の紙おむつ着用時の身体側となる内面に、吸収性本体１０の外面側がホットメルト等の接着剤によって接着されて、吸収性本体１０と外装体２０が一体化される。そして、外装体２０の股下部Ｍを吸収性本体１０とともに折り曲げるようにして外装体２０の腹側部Ｆと背側部Ｂを折り重ね、左右同士でヒートシール又は超音波シールによって融着することにより、図１に示す、紙おむつ１に組み立てられる。両側端部２１、２２における詳細な融着方法については後述する。なお、図２に示す紙おむつ１の分解斜視図及び図３に示す紙おむつの外装体２０の展開図は、紙おむつ１として外装体２０の両側端部２１、２２を融着したものを分解した場合の図である。
なお、腰周り開口部Ｗの開口端部から脚周り開口部Ｌに至る方向を、一の側端部２１（２２）の長手方向とし、当該長手方向に直交する方向を一の側端部２１（２２）の幅方向とする。
【００２０】
（吸収性本体）
吸収性本体１０は、図４、図５に示すように、不織布などからなる透液性表面シート１１と、ポリエチレン等からなる防水シート１２との間に、綿やパルプ等の吸収性素材や、繊維或いはフィルム等のシート状基材と高吸水性樹脂とが組み合わされて形成された吸収体１３を介在させた構造を有しており、体液としての尿等の水様成分を吸収保持するものである。
この吸収性本体１０は、外装体２０の腹側部Ｆから背側部Ｂに亘り、当該吸収性本体１０よりも幅方向外側に延出するように形成される股下部Ｍに備えられており、当該吸収性本体１０の幅方向の両端部には、長手方向に延在する左右一対の立体ギャザーＢＳが備えられている。
【００２１】
吸収体１３は、例えば、平面視略砂時計形状を有するように成形されており、その幅寸法は着用者の身体に当たる際にゴワ付き感を与えないサイズとなっている。
なお、吸収体１３は、形状保持と透液性表面シート１１を透過した体液の拡散性の向上のためにクレープ紙（図示省略。）によって囲繞することとしても良い。
【００２２】
吸収体１３の表面側（肌当接面側）を覆う透液性表面シート１１を形成する不織布の素材としては、天然繊維、合成繊維のいずれを用いても良い。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
これらの加工法のうち、スパンレース法による不織布は柔軟性、ドレープ性に富む点で優れ、サーマルボンド法による不織布は嵩高でソフトである点で優れている。
また、透液性表面シート１１に多数の透孔を形成した場合には、尿などが速やかに吸収されるようになり、ドライタッチ性に優れたものとなる。
【００２３】
吸収体１３の裏面側（非肌当接面側）を覆う防水シート１２は、遮水性を有し、吸収体１３を通過した水様成分が外装体２０側に漏れることを防止する働きをなすものであり、例えば、ポリエチレンまたはポリプロピレンなどの不透液性プラスチックシートが用いられる。また、ムレ防止の点から透湿性を有するものが好適に用いられる。この遮水・透湿性シートは、例えば、ポリエチレンやポリプロピレン等のオレフィン樹脂中に無機充填材を溶融混練してシートを形成した後、一軸または二軸方向に延伸することにより得られる微多孔性シートである。微多孔性シートであれば、仮にシート厚が同じである場合に、無孔シートよりも剛性が低下するため、柔軟性の点でも勝るものとなる。
かかる防水シート１２としては、排便や尿などの褐色が視認しにくいように不透明なものを用いることが好ましい。防水シート１２の不透明化としては、オレフィン樹脂やプラスチック中に、炭酸カルシウム、酸化チタン、酸化亜鉛、ホワイトカーボン、クレイ、タルク、硫酸バリウムなどの顔料や充填材を添加してフィルム化したものが好適に使用される。
【００２４】
立体ギャザーＢＳは、不透液性のギャザー不織布１５を二つ折りにしてその基端部にて防水シート１２の側縁部を挟みこみ、折り合わされた面を、例えば、ホットメルトや、ヒートシール、超音波シール等により固着させることにより形成されている。折り返しによって二重にされたギャザー不織布１５の基端部の上面側には、透液性表面シート１１の側縁部が接着されている。
また、ギャザー不織布１５は、吸収性本体１０の長手方向中間部においては、立体ギャザーＢＳを形成する自由端部（起立端部）となっており、長手方向前後端部においては、吸収性本体１０の上面側に内側に折り畳まれてホットメルト接着剤等により接着された固定部となっている。
【００２５】
また、ギャザー不織布１５の起立先端部には、複数本の糸状弾性伸縮部材１６・・・が配設されている。糸状弾性伸縮部材１６・・・は、弾性伸縮力によりギャザー不織布１５を起立させて立体ギャザーＢＳとするためのものである。
【００２６】
また、ギャザー不織布１５を構成する素材繊維は、上記した透液性表面シート１１を形成する不織布と同様の素材から構成され、また、これら不織布の製造方法もほぼ等しくなっているが、特に、ムレを防止するために秤量を抑えて通気性に優れた不織布を用いることが好ましい。さらに、ギャザー不織布１５については、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２７】
（外装体）
外装体２０は、図１から図５に示すように、当該外装体２０を形作る外層シート２０Ａを備えている。外層シート２０Ａは、上層不織布２０ａと下層不織布２０ｂとの２枚の不織布を貼着して構成され、上層不織布２０ａ及び下層不織布２０ｂの間には、後述する各種の糸状の弾性部材が配設されて、伸縮性が付与されるようになっている。
また、外層シート２０Ａの内側（肌当接面側）には、腹側部Ｆ及び背側部Ｂにおいて、上層不織布２０ａの上面に胴周りシート２０Ｂ、２０Ｂが備えられ、良好な着用感を実現するようになっている。
この外装体２０は、その中間両側部にそれぞれ脚周り開口部Ｌを設けるための凹状の脚周りカットライン２３が形成され、紙おむつ１の着用者の股下周囲を覆う股下部Ｍと、股下部Ｍの前端側に位置し着用者の腹部を覆う腹側部Ｆと、股下部Ｍの後端側に位置し着用者の背部を覆う背側部Ｂと、を有しており、その平面形状は全体として擬似砂時計形状を成している。
【００２８】
外装体２０の一の側端部２１（２２）に沿った長手方向の所定位置には、腹側部Ｆと背側部Ｂとが融着されておらず、空間部を形成することが可能な非融着部Ｋと、非融着部Ｋに対して腰周り開口部Ｗ側の腹側部Ｆと背側部Ｂとが融着された上側融着部２１ａ（２２ａ）と、非融着部Ｋに対して脚周り開口部Ｌ側の腹側部Ｆと背側部Ｂとが融着された下側融着部２１ｂ（２２ｂ）と、を有している。
具体的には、図３に示すように、非融着部Ｋは、指を挿入することができる程度の大きさを有し、側端部２１、２２の中央部又は側端部２１、２２の中で強度が変化する強度変化部に対応する位置に設けられている。
即ち、非融着部Ｋは、図１から図３に示すように、外装体２０の両側端部２１、２２の中央部又は両側端部２１、２２の資材の重なり枚数が変化する部分に設けられている。
非融着部Ｋが中央部又は強度変化部に設けられていることにより、非融着部Ｋに指先を挿入し、融着部を引き裂く際に腰周り開口部Ｗ及び脚周り開口部Ｌまで融着部以外の部分が引き裂かれてしまうことを防止するとともに、強度が変化することにより引き裂きにくくなっている強度変化部に力が伝わりやすく、融着部を適切に引き裂くことができる。
【００２９】
また、図３に示すように、非融着部Ｋに対して腰周り開口部Ｗ側の腹側部Ｆと背側部Ｂとが融着された上側融着部２１ａ、２２ａと、非融着部Ｋに対して脚周り開口部Ｌ側の腹側部Ｆと背側部Ｂとが融着された下側融着部２１ｂ、２２ｂは、ヒートシール又は超音波シール等の公知の方法を用いて融着されている。更に、上側融着部２１ａ、２２ａ及び下側融着部２１ｂ、２２ｂは、引き裂き時に引き裂き方向を長手方向に沿うように誘導する誘導部を備えている。
【００３０】
誘導部は、上側融着部２１ａ、２２ａ及び下側融着部２１ｂ、２２ｂの幅方向に延在し、長手方向に沿って所定の間隔で設けられた第１エンボス凹部Ｅ１を備え、第１エンボス凹部Ｅ１は、外装体２０の端部から内側に向かって非融着部Ｋ側に傾斜している。
具体的には、誘導部は、図３に示すように、所定位置に設けられた非融着部Ｋを中心に、例えば、略ハの字状に傾斜した、斜め格子状の第１エンボス凹部Ｅ１が長手方向に沿って形成されている。なお、第１エンボス凹部Ｅ１は、各融着部において、所定の圧縮加工を施すことにより形成される。
誘導部は、上側融着部２１ａ、２２ａ及び下側融着部２１ｂ、２２ｂの幅方向に延在し、長手方向に沿って所定の間隔で設けられた第１エンボス凹部Ｅ１を備えることにより、着用者が使用中に外装体２０の内側から端部に向かってかける力に対しては引き裂かれにくい構造になっている。また、第１エンボス凹部Ｅ１は、外装体２０の端部から内側に向かって非融着部Ｋ側に傾斜していることにより、廃棄時に非融着部Ｋに指を挿入して引き裂く際に、融着部を引き裂く力が腰周り開口部Ｗ及び脚周り開口部Ｌまで伝わりやすく、融着部以外の部分が引き裂かれてしまうことを防止している。
【００３１】
非融着部Ｋに対向し、当該非融着部Ｋよりも外装体２０の内側に、上側融着部２１ａ、２２ａ及び下側融着部２１ｂ、２２ｂと接する部分を有し、腹側部Ｆと背側部Ｂとが接着された中間接着部Ｓ１が設けられている。
具体的には、中間接着部Ｓ１は、図３及び図６に示すように、当該非融着部Ｋよりも外装体２０の内側であって、上側融着部２１ａ、２２ａ及び下側融着部２１ｂ、２２ｂと接する部分を有することで、両側端部２１、２２側に隙間ができない構造となっている。
【００３２】
また、中間接着部Ｓ１は、腹側部Ｆと背側部Ｂとが融着され、外装体２０の端部に向かって幅が狭くなるように形成された第２エンボス凹部Ｅ２が、長手方向に沿って所定の間隔で設けられている。
具体的には、図６に示すように、第２エンボス凹部Ｅ２は、例えば、略三角形状に外装体２０の端部側の幅が狭く、外装体２０の内側の幅が広くなるように長手方向に沿って配置されている。従って、第２エンボス凹部Ｅ２が設けられた中間接着部Ｓ１は、外装体２０の内側よりも端部側の幅が狭いことから、着用者が非融着部Ｋに指先を挿入して融着部を引き裂く場合に引き裂きやすい。一方、着用者が使用している場合においては、第２エンボス凹部Ｅ２の幅は、外装体の内側の方が端部よりも広いため、外装体２０の内側から両側端部２１、２２に向かってかかる力に対して引き裂かれにくい構造となっている。
なお、第１エンボス凹部Ｅ１及び第２エンボス凹部Ｅ２の圧着面積は、適宜設定可能である。
【００３３】
また、外装体２０は、腹側部Ｆ及び背側部Ｂのそれぞれにおいて、腰周り開口部Ｗの開口端部側（上側）に配置される複数のウエスト弾性部材２４・・・と、腹側部Ｆ及び背側部Ｂのそれぞれにおいて、一の側端部２１（２２）から他方の側端部２２（２１）に亘り、腰周りに沿う方向に延在するよう配設された複数の腰周り弾性部材２５・・・と、腹側部Ｆ及び背側部Ｂのそれぞれにおいて、両側端２１、２２から脚周り開口部Ｌの脚周りカットライン２３（縁部）に沿って股下部Ｍ側に延びるように配設された複数の脚周り弾性部材２６・・・と、を備えている。
【００３４】
ウエスト弾性部材２４は、腹側部Ｆと背側部Ｂとが融着される両側端２１、２２の上下方向の幅である範囲のうち、腰周り開口部Ｗの近傍において上下方向に間隔をおいて配設された複数条の糸ゴム状弾性部材であり、身体のウエスト部周りを締め付けるように伸縮力を付与し、紙おむつ１を身体に装着するためのものである。
【００３５】
腰周り弾性部材２５は、腹側部Ｆと背側部Ｂとのそれぞれにおいて、ウエスト弾性部材２４より股下部Ｍ側に上下方向に所定の間隔をおいて互いに略平行に配設された複数条の糸ゴム状の弾性伸縮部材であり、腹側部Ｆ及び背側部Ｂの腰周り部分を締め付けるように伸縮力を付与する。この複数の腰周り弾性部材２５・・・は、外装体２０に所定の幅、範囲に亘って配設されることにより、腹側部Ｆや背側部Ｂの全面を身体により密着させるようになっている。
【００３６】
脚周り弾性部材２６は、腹側部Ｆ及び背側部Ｂにおいて、腰周り弾性部材２５とは別に配設された複数本の糸ゴム状の弾性伸縮部材である。この複数の脚周り弾性部材２６・・・は、外装体２０に所定の幅、範囲に亘って配設されることにより、外装体２０の脚周り部分を身体に密着させる。
具体的には、脚周り弾性部材２６は、腹側部Ｆ及び背側部Ｂの一方の側端部２１（２２）から、ほぼ脚周りカットライン２３に沿うように股下部Ｍ側に延び、その股下部Ｍを迂回するようにして、他方側の脚周りカットライン２３にほぼ沿いながら他方の側端部２２（２１）に到達するように配設されている。
【００３７】
以上のように、本実施形態の紙おむつ１によれば、両側端部２１、２２は、一の側端部２１（２２）に沿った長手方向の所定位置に腹側部Ｆと背側部Ｂとが融着されておらず、空間部を形成することが可能な非融着部Ｋと、非融着部Ｋに対して腰周り開口部Ｗ側の腹側部Ｆと背側部Ｂとが融着された上側融着部２１ａ、２２ａと、非融着部Ｋに対して脚周り開口部Ｌ側の腹側部Ｆと背側部Ｂとが融着された下側融着部２１ｂ、２２ｂと、を有し、非融着部Ｋは、指を挿入することができる程度の大きさを有し、上側融着部２１ａ、２２ａ及び下側融着部２１ｂ、２２ｂは、引き裂き時に引き裂き方向を長手方向に沿うように誘導する誘導部を備える。
従って、上側融着部２１ａ、２２ａと下側融着部２１ｂ、２２ｂとの間に指先を挿入することができる非融着部Ｋが設けられているため、融着部を引き裂きやすい。また、上側融着部２１ａ、２２ａ及び下側融着部２１ｂ、２２ｂは、引き裂き時に引き裂き方向を長手方向に沿うように誘導する誘導部を備えるため、融着部以外の部分が引き裂かれてしまうことを防止し、融着部を適切に引き裂くことができる。
【００３８】
また、非融着部Ｋは、側端部２１、２２の中央部又は側端部２１、２２の中で強度が変化する強度変化部に対応する位置に設けられているため、融着部を引き裂く力が適切に腰周り開口部Ｗ及び脚周り開口部Ｌまで伝えることができ、強度が変化することにより引き裂きにくい強度変化部に引き裂く力を伝えやすくなる。
【００３９】
また、誘導部は、上側融着部２１ａ、２２ａ及び下側融着部２１ｂ、２２ｂの幅方向に延在し、長手方向に沿って所定の間隔で設けられた第１エンボス凹部Ｅ１を備え、第１エンボス凹部Ｅ１は、外装体２０の端部から内側に向かって非融着部Ｋ側に傾斜しているため、融着部を引き裂く際に腰周り開口部Ｗ側及び脚周り開口部Ｌ側まで適切に引き裂く力を伝えることができるとともに、装着時に外装体２０の内側から力がかかる場合には引き裂けにくい。
【００４０】
非融着部Ｋに対向し、当該非融着部よりも外装体２０の内側に、上側融着部２１ａ、２２ａ及び下側融着部２１ｂ、２２ｂと接する部分を有し、腹側部Ｆと背側部Ｂとが接着された中間接着部Ｓ１が設けられ、中間接着部Ｓ１は、腹側部Ｆと背側部Ｂとが融着されているため、両側端部２１、２２側が連続的に融着される。一方、外装体２０の端部に向かって幅が狭くなるように形成された第２エンボス凹部Ｅ２が、長手方向に沿って所定の間隔で設けられているため、融着部を引き裂く際には引き裂く力を入れやすく、装着時には引き裂けにくい。
【００４１】
＜変形例１＞
上記実施形態１において、図７に示すように、中間接着部Ｓ２を、腹側部Ｆと背側部Ｂとが着脱可能に接着される接着部材Ｊを備える構成としてもよい。即ち、中間接着部Ｓ２は、例えば、粘着テープのような着脱可能な接着部材Ｊを用いることができる。更に、中間接着部Ｓ２に設けられた接着部材Ｊは、フックテープであってもよい。なお、フックテープに使用される素材としては、ポリプロピレン（ＰＰ）、ポリエチレン（ＰＥ）、ポリエステル（ＰＥＴ）等の合成繊維など公知の種々のものを利用することが可能である。
変形例１によれば、中間接着部Ｓ２は、腹側部Ｆと背側部Ｂとが着脱可能に接着される接着部材Ｊを備え、中間接着部Ｓ２に設けられた接着部材Ｊがフックテープであることにより、中間接着部Ｓ２に指先を入れて引き裂く場合に、中間接着部Ｓ２の接着を容易に外すことができ、また、接着部Ｓ２をヒートシール又は超音波シールのように溶融接着していないので通気性を保つことができる。更に、使用後の紙おむつ１を捨てる場合に、接着部Ｓ２のフックテープにより外層シート２０Ａを係止することで小さく丸めて捨てることができる。
【００４２】
＜実施形態２＞
実施形態２における紙おむつ２について図８から図１０に示す。実施形態２の紙おむつ２は、上記実施形態１に示した紙おむつ１と以下に説明する以外の点で略同様の構成であり、詳細な説明は省略する。
図８から図１０に示すように、上側融着部２１ａの腹側部Ｆ及び下側融着部２２ｂの背側部Ｂに誘導部として、誘導シートＨを設ける構成としても良い。
具体的には、図８に示すように、誘導部は、上側融着部２１ａ、２２ａ及び下側融着部２１ｂ、２２ｂの領域を覆い、且つ、上側融着部２１ａ、２２ａ及び下側融着部２１ｂ、２２ｂの面積よりも大きく、引き裂き時に引き裂き方向を長手方向に沿うように誘導する誘導シートＨを備え、誘導シートＨは、上側融着部２１ａにおける融着前の腹側部Ｆに設けられるともに、下側融着部２２ｂにおける融着前の背側部Ｂに設けられている。
即ち、誘導シートＨは、図９に示すように、腹側部Ｆにおいては上側融着部２１ａに設けられており、図示は省略するが、背側部Ｂにおいては、下側融着部２２ｂに設けられている。また、図１０は、誘導シートＨが設けられた上側融着部２１ａの腹側部Ｆ及び下側融着部２２ｂの背側部Ｂが融着される様子を表している。
なお、誘導シートＨを形成する不織布の素材としては、ポリプロピレン（ＰＰ）、ポリエチレン（ＰＥ）、ポリエステル（ＰＥＴ）等の合成繊維が挙げられる。また、これらの合成繊維から不織布を製造する方法としては、公知の方法を適宜用いることができ、例えば、スパンボンド、メルトブロー等の方法を用いることができる。
実施形態２によれば、誘導部は、上側融着部２１ａ、２２ａ及び下側融着部２１ｂ、２２ｂの領域を覆い、且つ、上側融着部２１ａ、２２ａ及び下側融着部２１ｂ、２２ｂの面積よりも大きく、引き裂き時に引き裂き方向を長手方向に沿うように誘導する誘導シートＨを備え、誘導シートＨは、上側融着部２１ａにおける融着前の腹側部Ｆに設けられるともに、下側融着部２２ｂにおける融着前の背側部Ｂに設けられているため、着用者が非融着部Ｋに指先を入れて融着部を引き裂く場合に、引き裂く一の側端部２１（２２）側の手で外装体２０の背側部Ｂを掴み、逆の手で外装体２０の腹側部Ｆを掴むことから、誘導シートＨによって各融着部に引き裂く力を集中的に伝えることができる。
なお、実施形態２において、誘導部は、誘導シートＨを備えるとともに第１エンボス凹部Ｅ１及び第２エンボス凹部Ｅ２を有する場合を例示して説明したが、第１エンボス凹部Ｅ１又は第２エンボス凹部Ｅ２のどちらか一方のみを用いてもよいし、どちらも用いない構成であってもよい。また、実施形態２において、中間接着部Ｓ１を例示して説明したが、中間接着部Ｓ２を用いてもよく、中間接着部Ｓ１、Ｓ２を設けない構成であってもよい。
【符号の説明】
【００４３】
１、２  吸収性物品（紙おむつ）
１０  吸収性本体
１１  透液性表面シート
１２  防水シート
１３  吸収体
１５  ギャザー不織布
１６  糸状弾性伸縮部材
２０  外装体
２０Ａ  外層シート
２０Ｂ  胴周りシート
２０ａ  上層不織布
２０ｂ  下層不織布
２１、２２  側端部
２１ａ、２２ａ  上側融着部
２１ｂ、２２ｂ  下側融着部
２３  カットライン
２４  ウエスト弾性部材
２５  腰周り弾性部材
２６  脚周り弾性部材
Ｆ  腹側部
Ｂ  背側部
Ｍ  股下部
ＢＳ  立体ギャザー
Ｗ  腰周り開口部
Ｌ  脚周り開口部
Ｋ  非融着部
Ｊ  接着部材
Ｓ１、Ｓ２  中間接着部
Ｅ１  第１エンボス凹部（誘導部）
Ｅ２  第２エンボス凹部（誘導部）
Ｈ  誘導シート（誘導部）
【図１】
2013135718.tif 000003
【図２】
2013135718.tif 000004
【図３】
2013135718.tif 000005
【図４】
2013135718.tif 000006
【図５】
2013135718.tif 000007
【図６】
2013135718.tif 000008
【図７】
2013135718.tif 000009
【図８】
2013135718.tif 000010
【図９】
2013135718.tif 000011
【図１０】
2013135718.tif 000012